(57)【要約】【課題】  振り分けにおける遊技性を向上させることができる振分装置を備えた遊技機を得る。【解決手段】  上面２８０Ａに突起部２８２を設けた回転体２８０を、回転体軸２７６を介し回転ベース２５４の回転体支持部２５８により支持して軸線Ｖ２回りに回転可能に構成し、この回転体２８０を支持する回転ベース２５４は、主軸２４０を介し振分装置２００の下ベース２０２及び上ベース２０４により支持して軸線Ｖ２と斜交する軸線Ｖ回りに回転可能に構成する。モーター２１８の回転により、主軸２４０が軸線Ｖ２回りに回転されると、回転体２８０は、回転ベース２５４とともに軸線Ｖ２回りに回転しつつ上面２８０Ａの傾斜方向を変化させ、固定歯車２５０、かさ歯車２６２、平歯車２６４によって回転ベース２５４の回転に連動され軸線Ｖ２回りに回転（自転）する。回転体２８０の上面２８０Ａに落下された遊技球は、突起部２８２に弾かれ跳ね上げられて挙動及び振り分け方向が複雑にされる。【選択図】        図６
2006014834.tif 000002
【特許請求の範囲】
【請求項１】
上面に遊技球が落下される円盤状の回転体と、
前記回転体の上面に設けられた突起部と、
前記回転体を第１回転軸線回りに回転可能に支持する第１支持手段と、
前記第１支持手段を前記第１回転軸線と斜交する第２回転軸線回りに回転可能に支持する第２支持手段と、
前記第１支持手段を前記第２回転軸線回りに回転させる駆動手段と、
前記駆動手段により回転される前記第１支持手段に連動させて前記回転体を前記第１回転軸線回りに回転させる連動手段と、
を備えた振分装置を有する遊技機。
【請求項２】
前記回転体の上面に複数の前記突起部を放射状に配置し、この回転体の周囲に複数の振り分け通路を放射状に設けたことを特徴とする請求項１記載の遊技機。
【発明の詳細な説明】
【技術分野】
【０００１】
本発明は、所定の経路から導かれた遊技球を回転体により他の経路に振り分ける振分装置を備えた遊技機に関する。
【背景技術】
【０００２】
遊技球を使用して遊技を行うパチンコ機等の遊技機では、円盤状の回転体により、所定の経路から導かれた遊技球を複数設けられた他の経路の何れかに振り分ける、あるいは、所定の経路から導かれた遊技球を他の経路に導くような振分装置を設けた機種が知られている。この回転体によって遊技球の振り分けや誘導を行う振分装置には、上面にらせん状バンクを設けた環状の回転盤を用いて、その回転盤の内側に配置したＶゾーン又は入賞口に遊技球を振り分けるもの（例えば、特許文献１参照）、あるいは、上面の周縁にＵ字形溝の受入部を複数設けた円盤を用いて、円盤の周囲に設けられた円環形の球通路にクルーンから遊技球を落下させ、その遊技球を球通路から円盤の受入部に受け入れ球排出路まで導くものがある（例えば、特許文献２参照）。
【特許文献１】特開２００１−２７６３３８号公報
【特許文献２】特開２０００−１２６３９１号公報
【発明の開示】
【発明が解決しようとする課題】
【０００３】
しかしながら、上述した特許文献１の場合、回転盤の回転に伴い遊技球が回転移動することで、パチンコ機が叩かれるなどし衝撃が与えられても遊技球の挙動の変化は小さくされるため、そのような不正行為に対しては強化されるが、回転盤がほぼ水平な向きに配置されて１方向に回転する（単一の回転軸線回りに回転動作する）構成であるため、遊技球の振り分け先が容易に予想できてしまい、遊技性が乏しいという問題がある。
【０００４】
一方、特許文献２の場合では、パチンコ機を叩くなどにより、クルーンを転動する遊技球の挙動に変化が与えられるため、そのような行為により不正入賞されやすくなるという問題がある。また、円盤は水平面に対して少し傾いて配置されているものの、やはり、この円盤も１方向に回転動作する構成であるため、円盤によって誘導される遊技球の動きが単調になり、遊技性が乏しくなる。
【０００５】
本発明は上記事実を考慮して、振り分け時に遊技球を弾いて跳ね上げることにより、遊技機に衝撃等を与えて遊技球の動きを変化させ遊技球を有利な経路に故意に誘導するような不正行為を防止し、且つ、振り分けにおける遊技性を向上させることができる振分装置を備えた遊技機を提供することを課題とする。
【課題を解決するための手段】
【０００６】
上記目的を達成するために請求項１に記載の発明は、上面に遊技球が落下される円盤状の回転体と、前記回転体の上面に設けられた突起部と、前記回転体を第１回転軸線回りに回転可能に支持する第１支持手段と、前記第１支持手段を前記第１回転軸線と斜交する第２回転軸線回りに回転可能に支持する第２支持手段と、前記第１支持手段を前記第２回転軸線回りに回転させる駆動手段と、前記駆動手段により回転される前記第１支持手段に連動させて前記回転体を前記第１回転軸線回りに回転させる連動手段と、を備えた振分装置を有することを特徴としている。
【０００７】
請求項１に記載の発明では、上面に突起部が設けられた回転体は、第１支持手段に支持されて第１回転軸線回りに回転可能とされ、この回転体を支持する第１支持手段は、第２支持手段に支持されて、第１回転軸線と斜交する第２回転軸線回りに回転可能とされる。      
【０００８】
ここで、駆動手段により第１支持手段が第２回転軸線回りに回転されると、回転体は、第２回転軸線回りに回転移動しつつ第２回転軸線に対する上面の傾斜方向を変化させ、連動手段によって第１支持手段の回転に連動され第１回転軸線回りに回転（自転）する。
【０００９】
このように、この振分装置では、回転体が回転移動しつつ上面の傾斜方向を変化させる回転動作と、自転による回転動作とを組み合わせた動きをするため、この回転体の上面に落下された遊技球は、突起部に弾かれ跳ね上げられて挙動及び振り分け方向が複雑にされ、振り分けにおける遊技性を向上させることができる。また遊技球は、回転体の突起部に弾かれてランダムに動くため、遊技機を叩いて衝撃等を与え、遊技球を有利な経路に故意に誘導するようなことは困難となる。したがって、そのような不正行為を防止することができる。
【００１０】
請求項２に記載の発明は、請求項１記載の遊技機において、前記回転体の上面に複数の前記突起部を放射状に配置し、この回転体の周囲に複数の振り分け通路を放射状に設けたことを特徴としている。
【００１１】
請求項２に記載の発明では、回転体の上面に落下された遊技球は、回転体の上面に放射状に配置された複数の突起部でより多く弾かれるため、遊技球の挙動はさらに複雑になるとともに、回転体の中心側から外側へ移動させる力（遠心力）がより大きく作用するようになる。これにより、遊技球の振り分け先に方向性を持たせられるようになり、遊技球は、回転体の周囲に放射状に設けられた複数の振り分け通路の何れかに振り分けられ、その振り分け先を遊技者が予想することはより困難となって、遊技性を更に向上させることができる。
【発明の効果】
【００１２】
本発明の遊技機は上記構成としたので、振分装置による遊技球の振り分け時に遊技球が弾かれて跳ね上げられるようになり、遊技機に衝撃等を与えて遊技球の動きを変化させ遊技球を有利な経路に故意に誘導するような不正行為を防止することができ、且つ、振り分けにおける遊技性を向上させることができる。
【発明を実施するための最良の形態】
【００１３】
以下、本発明の実施形態に係るパチンコ機について図面を参照して説明する。
【００１４】
（パチンコ機本体の構成）
図１には本発明の一実施形態に係るパチンコ機が示され、図２には本実施形態に係るパチンコ機に搭載される遊技盤が示されている。
【００１５】
図１に示されるように、パチンコ機１０は、機器の外郭を構成するとともにパチンコホールの島設備に設置される矩形状の外枠１２を備えている。外枠１２の前面には矩形額縁状の内枠１４が配置され、内枠１４は、外枠１２に設けられた一対のヒンジ部１６、１８に左側端部が軸支されて開閉可能に取り付けられている。また、外枠１２の前面下部には、装飾部材としての下飾り２０が取り付けられている。
【００１６】
内枠１４の前面上部には、円形状の窓部２４にガラス板２２が装着されたガラス枠２６が配置されている。ガラス枠２６は、左側端部が内枠１４に軸支されて開閉可能に取り付けられており、このガラス枠２６の窓部２４に装着されたガラス板２２は、図１の紙面奥行き方向に所定の間隔で互いに平行に配置された一対のガラス板からなる二重構造となっている。
【００１７】
ガラス枠２６の裏面側となる内枠１４の上部には、矩形状の開口部（図示省略）が形成されている。この開口部には、図２に示される遊技盤１００がセットされており、遊技盤１００は、ガラス枠２６を内枠１４に閉塞した状態でガラス枠２６（ガラス板２２）に覆われている。
【００１８】
ガラス枠２６の前面には、賞球表示灯や完了表示灯等としての機能を有する複数の表示灯８０と、賞球払出エラー表示灯８２及び払出状態エラー表示灯８４とがガラス板２２（遊技盤１００の遊技領域）を取り囲むように配列されており、さらに左上隅近傍と右側端上部には、遊技の効果音をステレオ出力するスピーカー８６、８８が配設されている。
【００１９】
内枠１４の前面下部には、遊技球を貯える球皿２８が前方へ突設されるとともに、一般的な上皿及び下皿の機能を兼ね備える打球供給皿としての一体皿ユニット３０が配置されている。一体皿ユニット３０は、左側端部が内枠１４に軸支されて開閉可能に取り付けられており、前面の左側下部に灰皿３２が設けられ、右側下部に打球の発射力（飛距離）を調整するための発射ハンドル３４が取り付けられている。
【００２０】
また、内枠１４裏面の右側端部には、上下方向に延出された図示しない施錠装置が取り付けられており、施錠装置のシリンダー錠（錠前）５４は内枠１４前面の右側端部から露出されている。この施錠装置によって、内枠１４は外枠１２に、ガラス枠２６は内枠１４にそれぞれ施錠されるとともに、一体皿３０は内枠１４にロックされて、それぞれ閉塞状態に固定される。また、シリンダー錠５４の鍵孔５６に図示しない鍵を差し込んで所定方向に回すことにより、内枠１４と外枠１２、及び、ガラス枠２６と内枠１４がそれぞれ解錠され、ガラス枠２６を開放すると、一体皿ユニット３０と内枠１４とのロック状態が解除可能となる。
【００２１】
一体皿ユニット３０に設けられた球皿２８の底面は、図１に示されるパチンコ機１０の正面視にて右側から左側へ下り傾斜している。その傾斜方向の上流側となる右側の球皿奥壁面には、パチンコ機１０内に設けられた賞球払出装置１８０（図１３参照）から払い出された賞球や貸し球が排出される球排出口４６が形成されており、傾斜方向の下流側となる左側の球皿底面上には、上流側から流下する遊技球を１列に整列して一体皿ユニット３０の裏面に配置された球送り装置（図示省略）に送り込むための整列通路が設けられている。この一体皿ユニット３０の球皿２８に、上記の球排出口４６から遊技球（賞球又は貸し球）が排出されると、遊技球は球皿２８内を左方向へ流下し整列通路により１列に整列されて球送り装置に送り込まれる。ここで、遊技者により、発射ハンドル３４が回動操作されると、球送り装置から、内枠１４の左下部に設けられた発射装置４０（図１３参照）に遊技球が送り込まれ、発射装置４０から遊技盤１００の遊技領域１０１へ向けて遊技球ＰＢが発射される（図２参照）。
【００２２】
（遊技盤の構成）
図２に示される遊技盤１００は、基板となるベニヤ板に樹脂製シート状のセルが貼着されてそのセルの表面が盤面１００Ａとなっており、盤面１００Ａの外周端部付近に、円弧状の外レール１０２及び内レール１０４とサイド飾り１０５が取り付けられている。これらの外レール１０２、内レール１０４、及びサイド飾り１０５によって囲まれた円形状の領域は、発射装置４０から発射されて打ち込まれた遊技球ＰＢが自重落下により移動可能とされ、この領域が遊技を行う遊技領域１０１とされている。
【００２３】
図２に示されるように、遊技盤１００における遊技領域１０１のほぼ中央には、図示のような大型のセンター飾り１３０が配置されている。センター飾り１３０は、中央が矩形状に開口された枠状とされており、上部中央に、２桁表示が可能な７セグメント表示器を備える普通図柄表示装置１０７が設けられ、開口内における上側に、液晶表示器（ＬＣＤ）１０８を備えその表示画面に特別図柄の抽選や各種演出等の映像を表示する特別図柄表示装置１０６が取り付けられている。また、センター飾り１３０の開口内における下側には、詳細については後述するユニット化された振分装置２００及び振分通路部材３００が取り付けられている（図３参照）。
【００２４】
センター飾り１３０の前面下部における中央には、上下方向に沿って球誘導通路１３２が設けられており、球誘導通路１３２の左右両側における所定位置にも、上下方向に沿って球誘導通路１３４Ｌ、１３４Ｒが設けられている。
【００２５】
センター飾り１３０の真下には、球誘導部材１４０が取り付けられている。球誘導部材１４０は、球誘導通路１３４Ｌ及び球誘導通路１３４Ｒの内側で左右方向に延出されるとともに凹状に緩やかに湾曲されており、球誘導通路１３２の真下に位置する中央部に凹部１４２が設けられている。この球誘導部材１４０の凹部１４２の真下には、始動口（スタート・チャッカー）１１０が配置されている。また、始動口１１０の左側には、球誘導通路１３４Ｌの真下に入賞口１１８Ｌが配置され、始動口１１０の右側には、球誘導通路１３４Ｒの真下に入賞口１１８Ｒが配置されている。
【００２６】
始動口１１０の下方には、遊技領域１０１の下端部付近に位置して変動入賞装置（特別電動役物）１１２が配置されている。変動入賞装置１１２は、左右幅方向を長手とした矩形状の大入賞口（アタッカー）１１４を備え、大入賞口１１４内には通称「Ｖゾーン」と呼ばれる連続役物作動口（図示省略）が設けられている。大入賞口１１４は、開閉扉１１６が開放又は閉塞することによって開口又は閉口するようになっており、開閉扉１１６の開放時には、開閉扉１１６上に落下した遊技球が開閉扉１１６に案内されて大入賞口１１４へ入賞する。
【００２７】
また、遊技領域１０１には、遊技領域１０１内を自重落下する遊技球を所定の経路に誘導する多数の遊技釘（図示省略）が設けられており、最下位置に、外れ球を遊技盤１００の裏側へ排出するアウト口１２０が設けられている。
【００２８】
次に、本実施形態に係る遊技盤１００のセンター飾り１３０にユニット化されて取り付けられた振分装置２００及び振分通路部材３００について説明する。
【００２９】
（振分装置の構成）
図４〜図６に示されるように、振分装置２００は、板状の下ベース２０２及び箱状の上ベース２０４を備えている。
【００３０】
下ベース２０２は、図４に示されるように正面視が略Ｖ字型とされており、中央に位置する底板部２０６上に、上ベース２０４及び振分装置２００を構成する各部品が配置され、底板部２０６の左右側端部から左斜め上方及び右斜め上方へそれぞれ延出された側板部２０８Ｌ、２０８Ｒの各先端部に、振分装置２００を振分通路部材３００に取り付けるための一対の取付部２１０Ｌ、２１０Ｒが設けられている。
【００３１】
図４及び図５に示されるように、側板部２０８Ｌ、２０８Ｒ上面の下部側（中央側）における前縁には、一対のボス２１２Ｌ、２１２Ｒが立設されている。上ベース２０４の左右側端における前部には、下ベース２０２の一対のボス２１２Ｌ、２１２Ｒに対応する、脚状とされた一対の取付部２１４Ｌ、２１４Ｒが設けられており、上ベース２０４は、この取付部２１４Ｌ、２１４Ｒがボス２１２Ｌ、２１２Ｒにネジによってそれぞれ固定されることにより、下ベース２０２に取り付けられている。
【００３２】
図５及び図６に示されるように、下ベース２０２の後端部中央に設けられた縦壁部２１６には、下ベース２０２の左右方向における略中央に位置して（図４参照）、モーター２１８が取り付けられている。モーター２１８は、回転軸２２０が前方へ向けられるとともにその軸心となる軸線Ｈが振分装置２００の前後方向に沿って略水平に配置されている。また、モーター本体の上部に設けられた配線２２２は、後述する主制御基板１５０に接続されている。
【００３３】
図６に示されるように、モーター２１８の回転軸２２０には連結軸２２４が取り付けられている。連結軸２２４は、前端部にかさ歯車２２６が取り付けられて一体化されており、後端面の軸心部に形成された嵌入孔２２８を回転軸２２０に嵌め入れ、後部外周面から軸心部の嵌入孔２２８へ向けて貫通形成されたネジ孔２３０に螺合するネジ２３２によって回転軸２２０に固定され連結されている。この連結軸２２４の前端部に同軸的に設けられたかさ歯車２２６は、下ベース２０２の底板部２０６上における後側及び上ベース２０４の後側に配置され、モーター２１８の回転軸２２０が回転駆動して連結軸２２４が回転されると軸線Ｈ回り回転する。
【００３４】
下ベース２０２の底板部２０６上における前側には、下ベース２０２の左右方向における略中央に位置して（図４参照）、かさ歯車２３４が配置されている。かさ歯車２３４は、軸心部に設けられた円筒部２３６の貫通孔２３８に、主軸２４０の一端部（下端部）が嵌め入れられて主軸２４０に一体化されている。主軸２４０は、かさ歯車２３４の円筒部２３６が、下ベース２０２の底板部２０６上面に設けられた平面視円形の凹溝からなる軸受け部２４２に嵌め入れられることで、下側の位置が決められ、上ベース２０４の上板部２４４に形成された貫通孔２４６に軸上部が挿通されることで上側の位置が決められ、その状態で、軸心となる軸線Ｖが振分装置２００の上下方向に沿って略垂直に配置されている。この下ベース２０２の軸受け部２４２及び上ベース２０４の貫通孔２４６に支持されて取り付けられている主軸２４０は、軸線Ｖ回りに回転可能とされ、また、主軸２４０の下端部に同軸的に設けられたかさ歯車２３４は、かさ歯車２２６に噛み合っている。これにより、主軸２４０は、かさ歯車２２６が軸線Ｈ回り回転するのに伴ってかさ歯車２３４が回転されると、軸線Ｈと略直交する軸線Ｖ回り回転する。
【００３５】
上ベース２０４の上板部２４４上面における略中央には台座部２４８が凸設されており、台座部２４８の上面には、固定歯車（かさ歯車）２５０が貫通孔２４６及び主軸２４０と同軸的に配置されて取り付けられている。主軸２４０の上端部は、固定歯車２５０の軸心部に形成された貫通孔２５２に挿通されて固定歯車２５０よりも上方へ突出されており、この主軸２４０の上端部には回転ベース２５４が取り付けられている。
【００３６】
回転ベース２５４は、主軸２４０の上端部に固定された基部２５６、基部２５６から主軸２４０の径方向外側へアーム状に延出された回転体支持部２５８、及び、回転体支持部２５８の先端側に設けられたケース状の歯車収容部２６０によって構成されており、回転体支持部２５８と歯車収容部２６０は水平面に対して上方へ所定角度傾いて配置されている。
【００３７】
歯車収容部２６０は、回転体支持部２５８に対して下方へ突出されており、その内部に形成された空洞部の下側にかさ歯車２６２が配置されて収容され、空洞部の上側に平歯車２６４が配置されて収容されている。これらのかさ歯車２６２及び平歯車２６４は、同軸的に配置されるとともに互いの軸心部に形成された軸部２６６、２６８が連結・固定されており、軸心となる軸線Ｖ１が軸線Ｖに対して角度θ１傾いて配置されている。この歯車収容部２６０に収容されて取り付けられているかさ歯車２６２及び平歯車２６４は、軸線Ｖ１回りに回転可能とされ、また、かさ歯車２６２は、外周縁の一部が、歯車収容部２６０の内側面に形成された開口部２７０から内側（基部２５６側）へ突出されて固定歯車２５０に噛み合っている。
【００３８】
回転体支持部２５８の内部に形成された空洞部には、平歯車２７２が収容されて回転可能に取り付けられている。平歯車２７２は、軸心部に形成された有底孔２７４に、回転体軸２７６の一端部（下端部）が嵌め入れられて回転体軸２７６に一体化されている。回転体軸２７６は、平歯車２７２が回転体支持部２５８の空洞部内に回転可能に取り付けられるとともに、回転体支持部２５８の上面部に、平歯車２７２の有底孔２７４と対応して形成された貫通孔２７８に軸下部が挿通されることで、軸心となる軸線Ｖ２が軸線Ｖ１と略平行にされ軸線Ｖに対して角度θ１傾いて配置されている。この回転体支持部２５８に支持されて取り付けられている回転体軸２７６は、軸線Ｖ２回りに回転可能とされ、また、回転体軸２７６の下端部に同軸的に設けられた平歯車２７２は、平歯車２６４に噛み合っている。
【００３９】
回転体軸２７６の他端部（上端部）には、円盤状の回転体２８０が同軸的に取り付けられている。回転体２８０は、下面における軸心部に形成された有底孔２８１に、回転体軸２７６の上端部が嵌め入れられて回転体軸２７６に一体化されている。
【００４０】
回転体２８０の上面２８０Ａにおける周縁部には、８個の突起部２８２が放射状に設けられており（図４及び図１２参照）、これらの突起部２８２は周方向に等間隔で配置されている。突起部２８２の上面は、回転体２８０の上面２８０Ａに対し角度θ２傾いて回転体２８０の軸心側から外側へ向けて昇り勾配となるよう傾斜しており、突起部２８２の両側面は、上側から下側へ向けて除々に広がる曲面状とされている。これら８個の突起部２８２により、回転体２８０の上面２８０Ａにおける各突起部２８２の間には、放射状に配置された８個の凹状部２８４が設けられている。
【００４１】
この回転体２８０は、回転体軸２７６が回転体支持部２５８に支持されることで回転ベース２５４に取り付けられており、その取付状態では、円形とされた上面２８０Ａの中心Ｏが軸線Ｖと略一致している。したがって、回転体軸２７６及び回転体２８０の軸心となる軸線Ｖ２は、回転体２８０の上面２８０Ａのほぼ中心で軸線Ｖと交差している。
【００４２】
本実施形態の振分装置２００は、以上の構成とされており、この振分装置２００では、モーター２１８が作動して回転軸２２０を回転駆動させると、連結軸２２４及びかさ歯車２２６が軸線Ｈ回りに回転され、それに伴い、かさ歯車２３４、主軸２４０、及び回転ベース２５４が軸線Ｖ回りに回転される。この回転ベース２５４の回転により、回転体２８０は、上面２８０Ａの中心Ｏをほぼ回転中心として回転し、上面２８０Ａの傾斜方向を変化させる。また、回転ベース２５４が回転されると、かさ歯車２６２は固定歯車２５０に噛み合いながら固定歯車２５０の回りを回転移動（公転）しつつ、固定歯車２５０との噛み合いによって軸線Ｖ１回りに回転（自転）される。このかさ歯車２６２の回転に伴い平歯車２６４が軸線Ｖ１回りに回転され、平歯車２６４に噛み合っている平歯車２７２が回転されて、回転体２８０は、軸線Ｖ２回りに回転される。したがって、この振分装置２００では、モーター２１８が作動することにより、回転体２８０が上面２８０Ａの中心Ｏをほぼ回転中心として上面２８０Ａの傾斜方向を変化させながら回転しつつ、軸線Ｖ２回りに回転（自転）するようになる。また、この回転体２８０の軸線Ｖ２回りの回転方向は、主軸２４０及び回転ベース２５４の軸線Ｖ回りの回転方向とは逆方向になる。
【００４３】
図７〜図１０には、回転体２８０の回転動作の様子が示されている。図７に示されるように、振分装置２００の前側に回転ベース２５４が配置された状態では、回転体２８０の上面２８０Ａにおける最低位部Ａは後側に位置するようになる。この図７に示される状態を回転体２８０の回転動作における初期位置とした場合に、主軸２４０が軸線Ｖを中心に平面視にて右回り（矢印Ｒ１方向）に９０度回転すると、図８に示されるように、回転ベース２５４が左側に配置され、回転体２８０は軸線Ｖ２を中心に左回り（矢印Ｒ２方向）に所定角度回転しつつ最低位部Ａの位置が右回りに９０度回転変移されて右側に位置するようになる。その位置からさらに、主軸２４０が右回り（矢印Ｒ１方向）に９０度回転すると、図９に示されるように、回転ベース２５４が後側に配置され、回転体２８０は軸線Ｖ２を中心に左回り（矢印Ｒ２方向）に所定角度回転しつつ最低位部Ａの位置が右回りに９０度回転変移されて前側に位置するようになる。その位置からさらに、主軸２４０が右回り（矢印Ｒ１方向）に９０度回転すると、図１０に示されるように、回転ベース２５４が右側に配置され、回転体２８０は軸線Ｖ２を中心に左回り（矢印Ｒ２方向）に所定角度回転しつつ最低位部Ａの位置が右回りに９０度回転変移されて左側に位置するようになる。その位置からさらに、主軸２４０が右回り（矢印Ｒ１方向）に９０度回転すると、回転体２８０は、図７に示される回転動作の初期位置に戻る。このように、回転体２８０は、軸線Ｖ２回りに回転（自転）しながら上面２８０Ａの傾き方向を変化させる回転動作を行う。
【００４４】
この振分装置２００は、図１２に示されるように、振分通路部材３００に組み付けられてユニット化されており、この振分装置２００が組み付けられた振分通路部材３００は、図１１に示されるように、枠状に形成されたセンター飾り１３０の開口部１３１の後側に配置されてセンター飾り１３０の裏面に取り付けられている。
【００４５】
（振分通路部材の構成）
次に、図１１及び図１２を用いて本実施形態に係る振分通路部材３００について説明する。
【００４６】
図１１に示されるように、センター飾り１３０の前面における開口部１３１の上縁部及び左右縁部には、前方へ突出された周壁１３５が設けられている。周壁部１３５の左壁部１３５Ｌ及び右壁部１３５Ｒにおける上下方向の略中央部には、切り欠き１３６Ｌ、１３６Ｒが形成されており、切り欠き１３６Ｌ、１３６Ｒの下縁部には側方へ突出された球受け部１３８Ｌ、１３８Ｒが設けられている。
【００４７】
球受け部１３８Ｌの内側には、振分通路部材３００の左側端部から左後端部に掛けて延設された球導入通路３０２Ｌの前端部が位置している。球受け部１３８Ｒの内側には、振分通路部材３００の右側端部から右後端部に掛けて延設された球導入通路３０２Ｒの前端部が位置している。これらの球導入通路３０２Ｌ、３０２Ｒは、振分通路部材３００の後端部中央に設けられた合流球排出通路３０４に後側の内側端部が接続されており、それぞれ球受け部１３８Ｌ、１３８Ｒとの接続端部となる前端部から、合流球排出通路３０４との接続端部となる後側の内側端部へ向けて下り傾斜している。
【００４８】
合流球排出通路３０４は、図１２に示されるように、平面視が略扇形とされ、後側から前側へ向けて緩やかに下り傾斜している。合流球排出通路３０４を構成する前側の通路壁部の中央部には、切り欠き３０６が形成されており、この合流球排出通路３０４の前側には、振分通路部材３００の底板部３０８における略中央に位置して円形孔３１０が形成されている。
【００４９】
振分通路部材３００の底板部３０８下面には、振分装置２００に設けられた下ベース２０２の取付部２１０Ｌ、２１０Ｒがネジによって取り付けられており、その取付状態で、振分装置２００の回転体２８０は円形孔３１０内に配置されるとともに軸線Ｖが円形孔３１０の中心にほぼ一致するよう位置が合わせられている（図３参照）。
【００５０】
底板部３０８の上面における円形孔３１０の周縁には、後側に位置する合流球排出通路３０４を除く前側、左側及び右側の所定範囲がリング状に隆起された隆起部３１２が設けられている。隆起部３１２の上面部には、９本の球振り分け通路３１４（３１４Ｃ、３１４ＬＡ、３１４ＬＢ、３１４ＬＣ、３１４ＬＤ、３１４ＲＡ、３１４ＲＢ、３１４ＲＣ、３１４ＲＤ）が放射状に設けられており、これらの球振り分け通路３１４は周方向に等間隔で配置されている。
【００５１】
隆起部３１２の最前部には、円形孔３１０の中心から前方へ延出された球振り分け通路３１４Ｃが位置しており、この球振り分け通路３１４Ｃの外側（出口側）には、前述した球誘導通路１３２が配置されている。
【００５２】
隆起部３１２の前部に位置して球振り分け通路３１４Ｃの左右に隣接する球振り分け通路３１４ＬＡ、ＲＡの外側（出口側）には、振分通路部材３００の底板部３０８が配置されている。
【００５３】
隆起部３１２の左前部に位置して球振り分け通路３１４ＬＡの左側に隣接する球振り分け通路３１４ＬＢの外側（出口側）には、振分通路部材３００の底板部３０８上における左側に設けられた分岐球排出通路３１６ＬＢの後端部が配置されている。
【００５４】
隆起部３１２の右前部に位置して球振り分け通路３１４ＲＡの右側に隣接する球振り分け通路３１４ＲＢの外側（出口側）には、振分通路部材３００の底板部３０８上における右側に設けられた分岐球排出通路３１６ＲＢの後端部が配置されている。
【００５５】
隆起部３１２の左側部に位置して球振り分け通路３１４ＬＢの後側に隣接する球振り分け通路３１４ＬＣの外側（出口側）には、振分通路部材３００の底板部３０８上における分岐球排出通路３１６ＬＢの左側に隣接して設けられた分岐球排出通路３１６ＬＣの後端部が配置されている。また、この分岐球排出通路３１６ＬＣにおける前端部の前側（出口側）には、前述した球誘導通路１３４Ｌが配置されている。
【００５６】
隆起部３１２の右側部に位置して球振り分け通路３１４ＲＢの後側に隣接する球振り分け通路３１４ＲＣの外側（出口側）には、振分通路部材３００の底板部３０８上における分岐球排出通路３１６ＲＢの右側に隣接して設けられた分岐球排出通路３１６ＲＣの後端部が配置されている。また、この分岐球排出通路３１６ＲＣにおける前端部の前側（出口側）には、前述した球誘導通路１３４Ｒが配置されている。
【００５７】
隆起部３１２の左後部に位置して球振り分け通路３１４ＬＣの後側に隣接する球振り分け通路３１４ＬＤの外側（出口側）には、振分通路部材３００の底板部３０８上における分岐球排出通路３１６ＬＣの左側に隣接して設けられた分岐球排出通路３１６ＬＤの後端部の内側が配置されている。
【００５８】
隆起部３１２の右後部に位置して球振り分け通路３１４ＲＣの後側に隣接する球振り分け通路３１４ＲＤの外側（出口側）には、振分通路部材３００の底板部３０８上における分岐球排出通路３１６ＲＣの左側に隣接して設けられた分岐球排出通路３１６ＲＤの後端部の内側が配置されている。
【００５９】
また、振分通路部材３００の底板部３０８と、上記６本の各分岐球排出通路３１６とは、それぞれ後側から前側へ向けて緩やかに下り傾斜している。
【００６０】
本実施形態の振分通路部材３００は、以上の構成とされており、図２に示されるように、前述した球誘導部材１４０は、この振分通路部材３００における分岐球排出通路３１６ＬＢの前端部（出口）と、分岐球排出通路３１６ＲＢの前端部（出口）との間に配置されている。
（制御系の構成）
次に、図１３を用いてパチンコ機１０の制御系について説明する。図１３に示されるように、本実施形態に係るパチンコ機１０の制御系は、主制御基板１５０を中心として、払出制御基板１５２、音声制御基板１５４、ランプ制御基板１５６、発射制御基板１５８、表示制御基板１６０等、機能毎に分類されており、各基板は主制御基板１５０にそれぞれ接続されている。なお、以下これらを総称する場合、副制御基板１５１という。
【００６１】
主制御基板１５０には、遊技に関する基本的なプログラムが記憶されている。この主制御基板１５０からの命令信号に基づいて、副制御基板１５１は独自に各部を制御し、このように、主制御基板１５０は基本的に命令信号を出力するのみで、その結果等のフィードバックは受けない構成となっている。
【００６２】
また、主制御基板１５０並びに副制御基板１５１は、管理制御基板１７０を介してパチンコ店側のホールコンピュータ１７２に接続することができ、これにより、パチンコ機１０の稼動状況を管理することも可能となっている。
【００６３】
以下、副制御基板１５１の制御内容について説明すると、払出制御基板１５２は、パチンコ機１０内に設けられた賞球払出装置１８０を作動させて、賞球又は貸し球の払い出し及び停止動作と払出数を制御する。音声制御基板１５４は、内枠１４前面に設けられたスピーカー８６、８８を作動させて効果音等の出力を制御し、ランプ制御基板１５６は、内枠１４の表示灯８０、賞球払出エラー表示灯８２、払出状態エラー表示灯８４、並びに、遊技盤１００に設けられた各種表示灯の点灯・消灯を制御する。発射制御基板１５８は、遊技者による発射ハンドル３４の操作により発射装置４０を作動させて遊技球の発射を制御する。表示制御基板１６０は、表示ドライバ１８２を介して特別図柄表示装置１０６に表示する特別図柄抽選や各種演出等の映像の表示内容を制御し、さらに、普通図柄表示装置１０７に表示する普通図柄抽選の表示内容を制御する。
【００６４】
また、特別図柄と普通図柄の抽選では、主制御基板１５０において、乱数カウンタを用い所定確率のもとに当たり／外れを決定する抽選処理が各々実行され、主制御基板１５０はその抽選結果に基づく判定信号を表示制御基板１６０へ出力する。表示制御基板１６０では、予め記憶されている複数種類の図柄変動パターン等の表示内容データの中から、入力された判定信号に対応する表示内容データが選択される。特別図柄表示装置１０６及び普通図柄表示装置１０７は、その表示内容データに基づく信号が表示制御基板１６０から各々入力されて作動するようになっている。
【００６５】
また、主制御基板１５０には、遊技盤１００に設けられた各種遊技部品の駆動源や入賞球を検出するセンサ類が接続されている。
【００６６】
駆動源としては、大入賞口１１４の開閉扉１１６を開放／閉塞させるソレノイド１８６、振分装置２００の回転体２８０を回転駆動させるモーター２１８がそれぞれ接続されており、これらのソレノイド１８６及びモーター２１８は、主制御基板１５０からそれぞれ制御信号が入力され駆動制御される。
【００６７】
また、入賞検出センサとしては、始動口１１０への入賞球を検出する始動口入賞センサ（第１種始動口入賞センサ）１９０、大入賞口１１４への入賞球を検出する大入賞口センサ１９２、大入賞口１１４内のＶゾーンへの入賞球を検出するＶゾーンセンサ１９４、入賞口１１８Ｌ、１１８Ｒへの入賞球を検出するにそれぞれの入賞口センサ１９８がそれぞれ接続されており、これらの各センサは、入賞球の検出時にその検出信号を主制御基板１５０へ出力する。そしてこれらの検出信号に基づき、主制御基板１５０が副制御基板１５１及び上記駆動源へ各種信号を出力することにより、パチンコ機１０は所定の動作をするようになっている。
【００６８】
（パチンコ機の遊技仕様）
パチンコ機１０による遊技では、遊技者が発射ハンドル３４を操作すると、球皿２８に貯えられている遊技球は球送り装置により一球づつ発射装置４０に供給され、発射装置４０によって上方へ発射される（図２参照）。発射された遊技球ＰＢは、外レール１０２に沿って遊技盤１００の遊技領域１０１に打ち込まれ、遊技釘に当たり方向を変えながら遊技領域１０１内を落下する。そして、入賞せずに遊技領域１０１の下端部に至った遊技球はアウト口１２０からパチンコ機１０内に回収される。
【００６９】
また、遊技球が入賞口１１８Ｌ、１１８Ｒに入賞すると、賞球払出装置１８０が作動して所定数（例えば５個）の賞球を払い出し、その払い出された賞球は、球排出口４６から球皿２８に排出される。
【００７０】
さらに、始動口１１０へ入賞すると、主制御基板１５０において当たり／外れの抽選処理が実行され、その抽選結果は、特別図柄表示装置１０６の表示画面に、配列された複数の特別図柄が所定のパターンで変動されその変動パターンを経た停止図柄の組み合わせによって表示される。なお、この特別図柄の変動パターンには、例えば、リーチを経た当たり図柄の表示又は外れ図柄の表示、あるいはリーチなしの外れ図柄表示など、様々な演出や趣向を加味した数多くのパターンが用意されており、遊技者は、それらの演出を受け特別図柄の抽選結果を期待感も持って観察する。
【００７１】
そして、抽選結果が「大当たり」となった場合は、特別図柄表示装置１０６の表示画面に、例えば、リーチ・アクションを経て「５５５」等の予め定められた所定の当たり図柄の組み合わせが表示されるとともに、表示灯８０の点滅やスピーカー８６、８８からの効果音出力などによる演出を加えて、大当たりが発生したことを遊技者に報知し、所定の大当たり動作を実行する。
【００７２】
また、大当たり動作としては、開閉扉１１６の開閉動作によって大入賞口１１４が例えば１０カウント（入賞個数）又は最大３０秒間（１回の開放時間）／最高１６ラウンド（継続回数）開放されるとともに、１回の大入賞口１１４開放時に大入賞口１１４内のＶゾーンへの入賞を果たすことで次ラウンドを継続するといった動作が行われる。これにより、遊技者は、発射した遊技球を大入賞口１１４へ容易に入賞させ、例えば入賞１個当たり１５個の払い出しを受けるなどして、大量の賞球を獲得できるようになる。
【００７３】
また、当たり図柄が、例えば「７７７」等の予め定められた特定の図柄の組み合わせとなった場合には、上述した大当たり動作の終了後に、次の大当たり確率がアップする「確率変動機能」、あるいは大当たり確率は変わらないが普通図柄表示装置１０７の変動時間が短縮され始動口１１０が開放し易くなって球持ちをよくする「時短機能」といった付加機能が作動して、遊技者にとって有利な遊技状態が展開される。
【００７４】
次に、以上説明した本実施形態に係るパチンコ機１０の作用について説明する。
【００７５】
本実施形態のパチンコ機１０では、遊技中に、遊技盤１００の遊技領域１０１を落下移動する遊技球ＰＢがセンター飾り１３０の球受け部１３８Ｌ、１３８Ｒ上に落下して受け止められ、図１１及び図１２の矢印Ｂで示されるように、切り欠き１３６Ｌ、１３６Ｒを通って、振分通路部材３００の球導入通路３０２Ｌ、３０２Ｒに入ると、その遊技球ＰＢは、球導入通路３０２Ｌ、３０２Ｒを傾斜方向の下流側に転動し、図１１及び図１２の矢印Ｃで示されるように、合流球排出通路３０４に導かれる。
【００７６】
さらに、合流球排出通路３０４に導かれた遊技球ＰＢは、図１１及び図１２の矢印Ｄで示されるように、合流球排出通路３０４の切り欠き３０６を通って円形孔３１０内に排出され、振分装置２００の回転体２８０上に落下する。
【００７７】
ここで、振分装置２００の回転体２８０は、前述したように、軸線Ｖ周りに回転しつつ上面２８０Ａの傾斜方向を変化させる回転動作と、軸線Ｖ２周り自転による回転動作とを組み合わせた動きをするため、この回転体２８０の上面２８０Ａに落下された遊技球ＰＢは、回転体２８０の突起部２８２に弾かれ跳ね上げられて挙動及び振り分け方向が複雑にされる。そして、回転体２８０の周囲に放射状に配置された９本の球振り分け通路３１４の何れかに振り分けられ、例えば、図１１に示すように、球振り分け通路３１４Ｃに振り分けられた場合には、球誘導通路１３２を通って球誘導部材１４０の凹部１４２上に落下され、さらに凹部１４２からほぼ真下に落下されて始動口１１０へ誘導されるようになり、高い確率での始動口１１０へ入賞を期待できるようになる。
【００７８】
また、遊技球ＰＢが球振り分け通路３１４ＬＣ、３１４ＲＣに振り分けられた場合には、その遊技球ＰＢは分岐球排出通路３１６ＬＣ、３１６ＲＣを通って球誘導通路１３４Ｌ、１３４Ｒへ導かれ、球誘導通路１３４Ｌ、１３４Ｒを通りほぼ真下に落下されて入賞口１１８Ｌ、１１８Ｒへ誘導されるようになり、高い確率での入賞口１１８Ｌ、１１８Ｒへ入賞を期待できるようになる。
【００７９】
また、遊技球ＰＢが球振り分け通路３１４ＬＡ、３１４ＲＡ、又は、球振り分け通路３１４ＬＢ、３１４ＲＢに振り分けられた場合には、その遊技球ＰＢは底板部３０８上又は分岐球排出通路３１６ＬＢ、３１６ＲＢを通ってセンター飾り１３０の開口部１３１から下方へ落下し、球誘導部材１４０上に落とされる。そして、球誘導部材１４０の湾曲に倣い、落下移動方向が始動口１１０側へ変えられて、始動口１１０へ入賞しやすくなる。
【００８０】
なお、本実施形態の振分装置２００では、回転体２８０の直径を５０ｍｍ、軸線Ｖと軸線Ｖ２の角度θ１を１５度、突起部２８２の高さを２ｍｍ、回転体２８０の回転数を４０回転／分の条件に設定して、遊技球ＰＢの振り分けを行った場合に、遊技球ＰＢが突起部２８２を乗り越えて上下に振動したり、突起部２８２に引っかり高い方に移動する動きが混じったランダムな動きをすることが確認できた。また、これらの設定条件は、一例であり、各値は振り分け方向の範囲や球振り分け通路の数及び位置等の仕様に応じて適宜設定することができる。
【００８１】
以上説明したように、本実施形態の振分装置２００では、回転体２８０上に落下された遊技球ＰＢは、回転体２８０の突起部２８２に弾かれ跳ね上げられて挙動及び振り分け方向が複雑にされるため、振り分けにおける遊技性を向上させることができる。また遊技球ＰＢは、回転体２８０の突起部２８２に弾かれてランダムに動くため、例えば、遊技者がパチンコ機１０を叩いて衝撃等を与え、遊技球ＰＢを有利な経路に故意に誘導するようなことは困難となる。したがって、そのような不正行為を防止することができる。
【００８２】
また、本実施形態では、回転体２８０の上面２８０Ａに落下された遊技球ＰＢは、回転体２８０の上面２８０Ａに放射状に配置された８個の突起部２８２でより多く弾かれるため、遊技球ＰＢの挙動はさらに複雑になるとともに、回転体２８０の中心側から外側へ移動させる力（遠心力）がより大きく作用するようになる。これにより、遊技球ＰＢの振り分け先に方向性を持たせられるようになり、遊技球ＰＢは、回転体２８０の周囲に放射状に設けられた９本の球振り分け通路３１４の何れかに振り分けられ、その振り分け先を遊技者が予想することはより困難となって、遊技性を更に向上させることができる。
【００８３】
以上、本発明を上述した特定の実施形態により詳細に説明したが、本発明はそれに限定されるものではなく、本発明の範囲内にて他の種々の実施形態が可能である。
【図面の簡単な説明】
【００８４】
【図１】本発明の一実施形態に係るパチンコ機を示す正面図である。
【図２】本発明の一実施形態に係る遊技盤を示す正面図である。
【図３】図２の３−３線断面図である。
【図４】本発明の一実施形態に係る振分装置を示す正面図である。
【図５】本発明の一実施形態に係る振分装置を示す右側面図である。
【図６】図４の６−６線断面図である。
【図７】本発明の一実施形態に係る振分装置における回転体の回転動作の様子を示す斜視図である。
【図８】本発明の一実施形態に係る振分装置における回転体の回転動作の様子を示す斜視図である。
【図９】本発明の一実施形態に係る振分装置における回転体の回転動作の様子を示す斜視図である。
【図１０】本発明の一実施形態に係る振分装置における回転体の回転動作の様子を示す斜視図である。
【図１１】本発明の一実施形態に係るセンター飾りにユニット化された振分装置及び振分通路部材が取り付けられた状態を示す正面側の斜視図である。
【図１２】本発明の一実施形態に係る振分装置及び振分通路部材がユニット化された状態を示す平面図である。
【図１３】本発明の一実施形態に係るパチンコ機の制御系の概略構成を示すブロック図である。
【符号の説明】
【００８５】
１０          パチンコ機
２００        振分装置
３００        振分通路部材
２０２        下ベース（第２支持手段）
２０４        上ベース（第２支持手段）
２１８        モーター（駆動手段）
２２４        連結軸（駆動手段）
２２６        かさ歯車（駆動手段）
２３４        かさ歯車（第２支持手段）
２４０        主軸（第２支持手段）
２５０        固定歯車（連動手段）
２６２        かさ歯車（連動手段）
２６４        平歯車（連動手段）
２５４        回転ベース（第１支持手段）
２５８        回転体支持部（第１支持手段）
２７２        平歯車（第１支持手段）
２７６        回転体軸（第１支持手段）
２８０        回転体
２８０Ａ      上面
２８２        突起部
３１４        球振り分け通路（振り分け通路）
Ｖ            軸線（第２回転軸線）
Ｖ２          軸線（第１回転軸線）
ＰＢ          遊技球
【図１】
2006014834.tif 000003
【図２】
2006014834.tif 000004
【図３】
2006014834.tif 000005
【図４】
2006014834.tif 000006
【図５】
2006014834.tif 000007
【図６】
2006014834.tif 000008
【図７】
2006014834.tif 000009
【図８】
2006014834.tif 000010
【図９】
2006014834.tif 000011
【図１０】
2006014834.tif 000012
【図１１】
2006014834.tif 000013
【図１２】
2006014834.tif 000014
【図１３】
2006014834.tif 000015